(57)【要約】【課題】著作物データを劣化させることなく、任意の情報を用いて著者認証を容易かつ確実に行うことが可能な著者認証システムを提供する。【解決手段】デジタル・コンテンツ配布にかかる著者認証システムにおいて、著者の作成した著作物データおよび認証局に登録された著作情報を有するＱＲコードからなる署名ＱＲコードから、著作物データの特徴を示す認証パラメータを認証パラメータ算出手段１が算出し、認証パラメータおよび著者認証を求める認証対象データから検出署名ＱＲコードを検出署名ＱＲコード生成手段２が生成し、著作情報照合手段３が検出署名ＱＲコードの有する著作情報と認証局に登録された著作情報とを照合して同一である場合には認証対象データの著者を認証する。【選択図】図１
2008124872.tif 000002
【特許請求の範囲】
【請求項１】
デジタル・コンテンツ配布にかかる著者認証システムにおいて、
著者の作成した著作物データと、認証局に登録された著作情報を有するＱＲコードからなる署名ＱＲコードとから前記著作物データの特徴を示す認証パラメータを算出する認証パラメータ算出手段と、
前記認証パラメータと、著者認証を求める認証対象データとから検出署名ＱＲコードを生成する検出署名ＱＲコード生成手段と、
前記検出署名ＱＲコード生成手段によって生成された検出署名ＱＲコードの有する著作情報と、前記認証局に登録された著作情報とを照合し、これらが同一である場合に前記認証対象データの著者を認証する著作情報照合手段とを備えることを特徴とする著者認証システム。
【請求項２】
前記認証パラメータ算出手段は、前記認証パラメータを算出する際に前記著作物データをディザ法で処理し、
前記検出署名ＱＲコード生成手段は、検出署名ＱＲコードを生成する際に認証対象データをディザ法で処理することを特徴とする請求項１記載の著者認証システム。
【請求項３】
デジタル・コンテンツ配布にかかる著者認証方法において、
著者の作成した著作物データと、認証局に登録された著作情報を有するＱＲコードからなる署名ＱＲコードとから前記著作物データの特徴を示す認証パラメータを算出する認証パラメータ算出ステップと、
前記認証パラメータと、著者認証を求める認証対象データとから検出署名ＱＲコードを生成する検出署名ＱＲコード生成ステップと、
前記検出署名ＱＲコード生成ステップによって生成された検出署名ＱＲコードの有する著作情報と、前記認証局に登録された著作情報とを照合し、これらが同一である場合に前記認証対象データの著者を認証する著作情報照合ステップとを備えることを特徴とする著者認証方法。
【請求項４】
コンピュータによって実行される、デジタル・コンテンツ配布にかかる著者認証プログラムにおいて、
著者の作成した著作物データと、認証局に登録された著作情報を有するＱＲコードからなる署名ＱＲコードとから前記著作物データの特徴を示す認証パラメータを算出する認証パラメータ算出ステップと、
前記認証パラメータと、著者認証を求める認証対象データとから検出署名ＱＲコードを生成する検出署名ＱＲコード生成ステップと、
前記検出署名ＱＲコード生成ステップによって生成された検出署名ＱＲコードの有する著作情報と、前記認証局に登録された著作情報とを照合し、これらが同一である場合に前記認証対象データの著者を認証する著作情報照合ステップとを備えることを特徴とする著者認証プログラム。
【発明の詳細な説明】
【技術分野】
【０００１】
本発明は、デジタル・コンテンツ配布にかかる著者認証システム等に関する。
【背景技術】
【０００２】
従来から画像、音楽などのデジタル・コンテンツの配布がインターネットを介するなどして盛んに行われている。一方で、不特定多数の利用者によってデジタル・コンテンツの不正コピーがなされたり、データが改ざんされたり等することが問題になっている。このため、著作物データに作成者や販売者などの名前情報などを埋め込む電子透かしによって不正コピー等を防止して著作権を保護することが行われている。
【０００３】
しかしながら、デジタル・コンテンツに透かし情報を埋め込むことからデジタル・コンテンツの劣化は否めない。このため、例えば芸術性を追求する画像などでは、芸術性に影響を及ぼさないように元の画質を保ったままで配信することは困難である。
【０００４】
この問題を解決するために著作画像を劣化させる透かし情報の埋め込み処理は行わずに、著者認証を行う技術が提案されている。このような技術として、特許文献１に開示されたものがある。この技術では、著作画像から署名画像を生成するための認証パラメータを算出し、署名画像と認証パラメータを認証局に登録しておく。
【０００５】
著者認証を行う際には、対象となる著作画像と認証パラメータとから署名画像を生成する。さらに、生成した署名画像と認証局に登録されている署名画像とを照合して、両者が一致した場合には、対象となる著作画像の著者であると認証するものである。
【０００６】
以上の著者認証手法は、フラクタル画像符号化に着想を得て実現されたものであり、認証パラメータはＩＦＳ（Iterated Function Systems−反復関数系−の略称）パラメータに対応している。認証局では、著作画像と署名画像間でＩＦＳパラメータを算出し、これを認証パラメータとして保存を行っている。
【０００７】
このように著作画像の構造（著作画像データ）を利用して署名画像を生成しているので、従来行われているような著作画像に署名を埋め込む電子透かしよりも圧縮や平滑化に対する耐性が高くなっている。
【０００８】
【特許文献１】特開２００２−３４４７１８号公報
【発明の開示】
【発明が解決しようとする課題】
【０００９】
本発明は、このような著作物データを劣化させる透かし情報の埋め込み処理は行わずに、著者認証を行う技術において、著作物データを劣化させることなく、任意の情報を用いて著者認証を容易かつ確実に行うことが可能な著者認証システム、著者認証方法、および著者認証プログラムを提供することを目的としている。
【課題を解決するための手段】
【００１０】
かかる目的を達成するための本発明の要旨とするところは、次の各項の発明に存する。
［１］デジタル・コンテンツ配布にかかる著者認証システムにおいて、
著者の作成した著作物データと、認証局に登録された著作情報を有するＱＲコードからなる署名ＱＲコードとから前記著作物データの特徴を示す認証パラメータを算出する認証パラメータ算出手段（１）と、
前記認証パラメータと、著者認証を求める認証対象データとから検出署名ＱＲコードを生成する検出署名ＱＲコード生成手段（２）と、
前記検出署名ＱＲコード生成手段（２）によって生成された検出署名ＱＲコードの有する著作情報と、前記認証局に登録された著作情報とを照合し、これらが同一である場合に前記認証対象データの著者を認証する著作情報照合手段（３）とを備えることを特徴とする著者認証システム。
【００１１】
［２］前記認証パラメータ算出手段（１）は、前記認証パラメータを算出する際に前記著作物データをディザ法で処理し、
前記検出署名ＱＲコード生成手段（２）は、検出署名ＱＲコードを生成する際に認証対象データをディザ法で処理することを特徴とする［１］記載の著者認証システム。
【００１２】
［３］デジタル・コンテンツ配布にかかる著者認証方法において、
著者の作成した著作物データと、認証局に登録された著作情報を有するＱＲコードからなる署名ＱＲコードとから前記著作物データの特徴を示す認証パラメータを算出する認証パラメータ算出ステップと、
前記認証パラメータと、著者認証を求める認証対象データとから検出署名ＱＲコードを生成する検出署名ＱＲコード生成ステップと、
前記検出署名ＱＲコード生成ステップによって生成された検出署名ＱＲコードの有する著作情報と、前記認証局に登録された著作情報とを照合し、これらが同一である場合に前記認証対象データの著者を認証する著作情報照合ステップとを備えることを特徴とする著者認証方法。
【００１３】
［４］コンピュータによって実行される、デジタル・コンテンツ配布にかかる著者認証プログラムにおいて、
著者の作成した著作物データと、認証局に登録された著作情報を有するＱＲコードからなる署名ＱＲコードとから前記著作物データの特徴を示す認証パラメータを算出する認証パラメータ算出ステップと、
前記認証パラメータと、著者認証を求める認証対象データとから検出署名ＱＲコードを生成する検出署名ＱＲコード生成ステップと、
前記検出署名ＱＲコード生成ステップによって生成された検出署名ＱＲコードの有する著作情報と、前記認証局に登録された著作情報とを照合し、これらが同一である場合に前記認証対象データの著者を認証する著作情報照合ステップとを備えることを特徴とする著者認証プログラム。
【００１４】
前記本発明は次のように作用する。  
デジタル・コンテンツ配布にかかる著者認証システムにおいて、著作情報は予め認証局に登録されている。署名画像に相当する署名ＱＲコードは、認証局に登録されている著作情報を有するようにしたものであり、認証パラメータ算出手段（１）では、著者の作成した著作物データと署名ＱＲコードが有する著作情報とから著作物データの特徴を示す認証パラメータが算出される。この際、前記著作物データは、ディザ法によって処理されて二値のデータとして生成される。
【００１５】
著者認証を求める認証対象データに関して著者認証を行うか否かは次のように行われる。先ず、検出署名ＱＲコード生成手段（２）が著者認証を求める認証対象データにディザ法を施し、得たデータと認証パラメータとから検出署名ＱＲコードを生成する。次に、著作情報照合手段（３）が検出署名ＱＲコードに含まれる著作情報を署名ＱＲコードに含まれる認証局に登録された著作情報と照合する。この結果、双方が同一である場合には認証対象データの著者認証をし、不一致であれば著者認証をしない。
【００１６】
なお、署名ＱＲコードおよび検出署名ＱＲコードは、一般的なＱＲコードと同様に、データと誤り訂正符号（リードソロモン符号）を有するものである。
【００１７】
上記のように、本願発明にかかる著者認証システム、著者認証方法、および著者認証プログラムによれば、認証局に登録してある著作情報をＱＲコードとして取得し、また、著者認証を求める認証対象データと認証パラメータとからもＱＲコードを生成し、これらＱＲコードに含まれる著作情報を照合するので、認証局には任意の著作情報を登録しておくことができる。例えば、著作情報にテキスト情報を用いることにより、著者認証をより容易にすることができる。
【発明の効果】
【００１８】
本発明にかかる著者認証システム、著者認証方法、および著者認証プログラムによれば、通常の署名画像と異なってＱＲコードである署名ＱＲコードを用いているので、任意の著作情報を認証局に保存することが可能となり、認証対象データの著者認証をより容易にすることができる。
【００１９】
また、ＱＲコードは誤り訂正符号が用いられているので、著作データに圧縮、平坦化などの変更が行われ、検出署名ＱＲコードの一部が劣化したとしても、完全な著作情報を得ることが可能となる。
【発明を実施するための最良の形態】
【００２０】
以下、図面に基づき本発明の好適な一実施の形態を説明する。  
各図は本発明の一実施の形態を示している。  
図１は、本発明の一実施の形態にかかる著者認証システムの概略を示す説明図である。
【００２１】
図１に示すように著者認証システムは、認証パラメータ算出部１（認証パラメータ算出手段）と、検出ＱＲコード生成部２（検出署名ＱＲコード生成手段）と、著作情報照合部３（著作情報照合手段）とを備えている。
【００２２】
認証パラメータ算出部１は、著者の作成した著作画像（著作物データ）および認証局に登録された著作情報を内容とする署名ＱＲコードから著作物データの特徴を示す認証パラメータを算出する。署名ＱＲコードは、著作画像に対して著作情報を与えることにより得られるものであり、通常のＱＲコードと同様に、データと誤り訂正符号（リードソロモン符号）を有するものである。検出ＱＲコード生成部２は、認証パラメータと、著者認証を求める認証対象画像（認証対象データ）とから検出署名ＱＲコードを生成する。著作情報照合部３は、検出ＱＲコード生成部２によって生成された検出署名ＱＲコードの有する著作情報と、署名ＱＲコードが有している認証局に登録された著作情報とを照合してこれらが同一である場合に認証対象画像の著者を認証する。
【００２３】
次に認証パラメータの生成について説明する。  
図２は、署名ＱＲコードと認証パラメータの生成を示す説明図である。図３に示すように、署名ＱＲコードから、互いに重ならずにＢ×Ｂ画素のブロックを切り出す。以下、この切り出したブロックを署名画像ブロックＲｉｓｉｇという。
【００２４】
ここで、例えば署名ＱＲコードのサイズを１１１画素×１１１画素とし、署名画像ブロックのサイズ（Ｂ×Ｂ画素）を３画素×３画素とすれば、署名ＱＲコードは、１，３６９個の署名画像ブロックＲｉｓｉｇを有することになる。
【００２５】
一方、図４〜図６に示すように、著作画像に対しては、重なりを許してＮ×Ｎ画素のブロックを切り出す。以下、これらの切り出したブロックを著作画像ブロックＤｊｏｒｇという。
【００２６】
ここで、例えば著作画像のサイズを２５６画素×２５６画素とし、図４において左上角の太枠で示した著作画像ブロックＤｊｏｒｇのサイズ（Ｎ×Ｎ画素）を１６画素×１６画素とし、ブロック総数をｍとする。
【００２７】
図５には、著作画像ブロックＤｊｏｒｇ内の平均輝度値を算出して輝度値の高いブロックから順に並び換えたものをＢ２＋１のグループに配属したものが例示されている。著作画像ブロックＤｊｏｒｇを署名画像ブロックＲｉｓｉｇの１ブロックの画素数Ｂ２よりも１多い数のグループに分けたことにより、次に説明するように、著作画像ブロックからＢ×Ｂ画素の縮小ブロックを作成した場合に、各ブロックはグループ番号と同じ個数分だけ画素値が１の画素が存在することになる。
【００２８】
ここで、グループ内のブロック数ｋは、
ｋ＝ｍ／（Ｂ２＋１）
であり、図５において左上角の太枠で示したブロックサイズ（Ｎ×Ｎ画素）は、１６画素×１６画素である。
【００２９】
Ｂ２＋１のグループの各々に属する著作画像ブロックに対してディザ法を用いることにより、Ｂ×Ｂ画素の縮小ブロックを生成することができる。生成された縮小ブロックは、画素値として０および１の２値を有する。また、Ｂ×Ｂ画素の中でグループ番号と同じ個数分だけ画素値が１の画素が存在する。これは、図６に示すように、１ブロックの総画素数がＢ２であるので、グループＢ２内のブロックの１の画素数は全てＢ２個となり、同様にグループＢ２−１内のブロックの１の画素数は全てＢ２−１個となる。すなわち、Ｂ×Ｂ画素の中でグループ番号と同じ個数分だけ画素値が１の画素が存在することになる。
【００３０】
画素値が１となる画素の位置は著作画像ブロックＤｊｏｒｇの（ｘ位置）×（ｙ位置）×（グループ番号）をシード（乱数発生の初期値）とした乱数により決定される（ランダムディザ法）。
【００３１】
ここで、グループ内のブロック数ｋは、
ｋ＝ｍ／（Ｂ２＋１）
であり、図６において左上角の太枠で示したブロックサイズ（Ｂ×Ｂ画素）は、３画素×３画素である。
【００３２】
図３を参照しながらの説明で得た署名画像ブロックＲｉｓｉｇをレンジブロックとみなし、前記Ｂ×Ｂ画素の縮小ブロックおよびそれらに回転・反転を施したブロックを縮小ドメインブロックとみなし、次の数１を用いることにより誤差が最小となるブロックをＤｊｏｐｔとしてＫ個（Ｋは複数）を選択する。
【００３３】
【数１】
2008124872.tif 000003
このように誤差が最小となるドメインブロックを複数個選択することにより、精度向上が図れる（マルチドメイン手法）。また、複数のドメインブロックの縮小画像の重ね合わせにより、高い近似精度を実現することができる。
【００３４】
このように選択された縮小ブロックの元となる著作画像ブロックＤｊｏｒｇの位置情報と回転・反転パラメータθ、λが認証パラメータとなる。
【００３５】
以上の処理を全ての署名画像ブロックＲｉｓｉｇ（ｉ＝１，２，.....,ｎ）について行う。なお、本処理で対象とするブロックは二値画像であるので、従来よりＩＦＳパラメータとして用いられているスケーリング係数（ｓ）およびオフセット（ｏ）は用いない。
【００３６】
以上のようにして著作画像と署名ＱＲコードとを用いることにより、認証パラメータを生成することができる。
【００３７】
次に、図７〜図１０までを参照しながら著者認証について説明する。  
図１および図７に示すように、著者認証は、認証パラメータと著者認証を求める認証対象画像（認証対象データ）とから検出ＱＲコード生成部２が検出署名ＱＲコードを生成し、この検出署名ＱＲコードの有する著作情報と、認証局に登録された著作情報とを照合してこれらが同一である場合に認証対象画像の著者を認証する。
【００３８】
先ず、認証対象画像ｆoとそれに対応する認証パラメータを与える。認証対象画像ｆoの輝度値は、ｆo（ｘ，ｙ）（ｘ＝１，２，・・・・，Ｘ；ｙ＝１，２，・・・・，Ｙ）とする。
次に、図８に示したように、認証対象画像ｆoから重なりを許してＮ×Ｎ画素のブロックＤｊｏ（ｊ＝１，２，・・・，ｍ；ｍはＤｊｏの総数）を切り出す。以下、このブロックを認証対象画像ブロックＤｊｏという。
【００３９】
ここで、図８において左上角の太枠で示した認証対象画像ブロックサイズ（Ｎ×Ｎ画素）は、例えば１６画素×１６画素である。
【００４０】
次に、図９に示したように、認証対象画像ブロックＤｊｏ（ｊ  ＝１，２，・・・，ｍ）についてブロック内の平均輝度値Ａｊｏ（ｊ＝１，２，・・・，ｍ）を算出し、算出した平均輝度値Ａｊｏの高いブロックから順に並び替える。この際、ブロックをＢ２＋１のグループに配属する。各グループに属するブロックの総数（ｋ）は、全て同一であり、ｍ／（Ｂ２＋１）個とする。
【００４１】
図９において左上角の太枠で示した部分のブロックサイズ（Ｎ×Ｎ画素）は、例えば１６画素×１６画素である。
【００４２】
次に、図１０に示したように、各グループに属する認証対象画像ブロックＤｊｏに対してディザ法を用いることで、Ｂ×Ｂ画素の縮小ブロックを生成する。この縮小ブロックの生成法は、著作画像ブロックＤｊｏｒｇに対してディザ法を用いてＢ×Ｂ画素の縮小ブロックを生成した前記の方法と同一である。この各グループに属するブロックの総数（ｋ）は、ｍ／（Ｂ２＋１）個である。
【００４３】
図１０において左上角の太枠で示した部分のブロックサイズ（Ｂ×Ｂ画素）は、例えば３画素×３画素である。
【００４４】
次に、認証パラメータの生成過程で得た署名画像ブロックＲｉｓｉｇに対する認証パラメータの位置情報に基づいて選択されるＫ個のブロックに対し、著作画像ブロックから縮小ブロックを生成した方法と同様にして縮小二値ブロックを生成する。この生成した縮小二値ブロックに対して認証パラメータの回転・反転情報を用いて新たな複数のブロックを算出する。
【００４５】
次に、Ｂ×Ｂ画素のブロックの各画素値が、算出したブロック全体で“０”が多いか“１”が多いかを判別し、多いもの（最頻値のもの）に対応してレンジブロックＲｉｏｉｇの画素値を０または１とする。
【００４６】
この処理を全ての署名画像ブロックＲｉｓｉｇ（ｉ  ＝１，２，・・・，ｎ）について行ってＲｉｅｘｔ（ｉ＝１，２，．．．，ｎ）を得る。このようにして得たＲｉｅｘｔをｉの順に互いに重なり合わないように並べることによって、認証対象画像の検出署名画像ｆｅｘｔとして検出署名ＱＲコードを生成することができる。次に、ＱＲコードのフォーマットに従い、マージン、位置検出パターン（切り出しシンボル）、タイミングパターンに誤りがあった場合には、これを修正する。
【００４７】
最後に、検出署名ＱＲコードを読込んで得られる著作情報と認証局に登録されている著作情報を照合し、一致すれば著作画像の著者と認定する。
【００４８】
以上のようにして、認証を求める認証対象画像に対して著者認証を行うことができる。
【００４９】
本実施の形態において、認証対象画像が著作画像と同一の画像である場合には、著作画像ブロックと同一の認証対象画像ブロックが得られる。つまり、同一の縮小二値ブロックが生成されるため、検出署名ＱＲコードは署名ＱＲコードと完全に一致する。
【００５０】
一方、認証対象画像が著作画像と異なる画像である場合には、同一の縮小二値ブロックが得られる確率は１／（Ｂ２＋１）となる。さらに、確率Ｂ２／（Ｂ２＋１）で異なる縮小二値ブロックが得られた場合、各セルの画素値が署名画像ブロックの値と同一になる確率は、各セルの画素値が０または１の二値となるため、１／２となる。したがって、著作画像とは異なる画像を認証対象画像として認証システムに与えた際に、検出される検出署名ＱＲコードの各セルの値が、署名ＱＲコードの各セルの値と同一になる確率は、
１／（Ｂ２＋１）＋Ｂ２／（Ｂ２＋１）×１／２＝（Ｂ２＋２）／（２（Ｂ２＋１））
となり、ほぼ１／２の確率となる。したがって、署名ＱＲコードとは異なる検出署名ＱＲコードが得られる。
【００５１】
また、著作画像に対して圧縮、平坦化などの処理を加えた画像を認証システムに与えた
場合、得られる縮小二値ブロックには誤りの生じる場合があるが、これは前記署名画像ブロックからレンジブロックの画素値を得た際に最頻値を用いているので、他のブロックを用いることで修正することが可能である。また、ＱＲコードのフォーマットに従った修正処理を行っていることから、誤差を低く抑えることが可能である。さらに、検出される署名画像（検出署名ＱＲコード）に低い確率で誤差が含まれていたとしても、ＱＲコードが独自に持つ誤り訂正符号により、完全な著作情報を得ることが可能である。
【００５２】
本実施の形態にかかる著者認証システムを実施するに際して、図１１の（ａ）に示す著作画像Ｌｅｎａ（２５６×２５６画素、２５６階調）および、図１３（ａ）に示す署名ＱＲコード（１１１×１１１画素、１セルは３×３画素によって構成、２階調）を用いた例について説明する。なお、図１３（ａ）の署名ＱＲコードには５０文字の英数字が記録されている。したがって、認証局には著作物データの５０文字の英数字および、図１１（ａ）の著作画像から図１３（ａ）の署名ＱＲコードを生成するための認証パラメータが保存される。
【００５３】
認証パラメータを生成する際には、署名画像ブロックのサイズ（Ｂ×Ｂ）を３×３画素、著作画像ブロックのサイズ（Ｎ×Ｎ）を１６×１６画素とし、著作画像ブロックの切り出し間隔は重複を許して縦横８画素とした。また、Ｋ＝７と設定した。
【００５４】
図１３に示した署名ＱＲコードは、認証局に対して図１１の（ａ）から図１２の（ｙ）までに示す２５枚の認証対象画像を与えて生成したものである。このとき、図１４に示したように、画像（ｂ）から（ｅ）は、原画像である画像（ａ）のＬｅｎａに対し半径が３，５，７，９のガウシアンフィルタを施したものであり、（ｆ）−（ｉ）は半径が３，５，７，９のメディアンフィルタを施したものであり、（ｊ）−（ｒ）はＱｕａｌｉｔｙ  Ｆａｃｔｏｒを９０，８０，・・・・，１０としてＪＰＥＧ符号化処理を施したものであり、（ｓ）−（ｙ）は異なる画像である。次に、これらの各画像から得られる各検出署名ＱＲコードに対し認証局に保存されている著作物データから生成される署名ＱＲコードとのデータセルの比較を行い、正データセルの割合（正画素率）を算出した。その結果は、図１４および図１５に示してある。
【００５５】
ここで、正データセルの割合とは、次の式から得られるものである。  
正データセルの割合＝Ｓ／Ｔ
Ｓ：署名ＱＲコードと検出署名ＱＲコード間において同一の値を持つデータセルの数
Ｔ：データセルの総数
である。
【００５６】
図１４に示した画像（ｂ）−（ｅ）の正画素率から、認証対象画像が原画像である著作画像（ａ）のＬｅｎａに対して平滑化および符号化を施したものであっても、正データセルの割合は０．９９４−０．９９８と高い値を持つことが確認できる。
【００５７】
これに対し、異なる画像（ｓ）−（ｙ）を認証対象画像として与えた場合には０．５１５−０．６４７と低い値となっていることが分かる。さらに、得られる検出署名ＱＲコードに対して復号化処理を行い記録されている英数字を読み出した結果、図１５から画像（ａ）−（ｒ）では全て同一の５０文字の英数字が得られた。これに対し、図１５（ｓ）−（ｙ）は復号化処理を行い、英数字を得ることができなかった。このとき、著作画像Ｌｅｎａに対して平滑化および符号化を施した認証対象画像から生成される検出署名ＱＲコードには約０．６％以下の誤ったデータセルが含まれるが、検出署名ＱＲコード中に含まれる誤り訂正符号によって修正され、同一の５０文字の英数字が得られる。
【００５８】
これに対して異なる画像を用いた場合、生成される検出署名ＱＲコードには約４５．３〜４８．５％誤ったデータコードが含まれる。このような場合、検出署名ＱＲコード中の誤り訂正符号を用いたとしても、誤りを訂正することが困難となるので、データを得ることができない。したがって、本実施の形態にかかる著者認証システムを用いることで高精度な著者認証が可能となる。
【００５９】
提案システムで生成される認証パラメータの容量の評価を行う。認証パラメータとして用いられる値は、認証対象画像ブロックのｘ位置およびｙ位置、さらに回転角と反転の有無を表す今パラメータである。認証対象画像ブロックのｘ位置およびｙ位置の取り得る総数はそれぞれ３２通り（５ｂｉｔ）であり、回転角は４通り（２ｂｉｔ）、さらに反転を表すパラメータは２通り（１ｂｉｔ）である。したがって、署名画像ブロックあたりの必要とするビット数は（５＋５＋２＋１）×７＝９１ｂｉｔとなる。署名ＱＲコードから切り出される署名画像ブロックの総数は約７０個であり、その結果認証パラメータの総ビット数は９１×７０＝６３７０ｂｉｔ（≒８００ｂｙｔｅ）となる。なお、認証パラメータに用いられる値を表すビット数を削減した場合においても、本実施の形態にかかる著者認証システムの性能は大きく低下しないことが確認されている。ここで、署名ＱＲコードは一般に画像符号化方式において最も多く用いられているＪＰＥＧ符号化により圧縮し、保存されることが一般的である。そこで、署名ＱＲコード（図１３の（ａ））をＪＰＥＧ符号化を施し得られるファイルの容量を算出した結果、約５，７００ｂｙｔｅであった。したがって、認証パラメータの総容量は署名ＱＲコードの画像ファイルのサイズと比較して低容量であることが確認できた。
【００６０】
以上のように、本実施の形態にかかる著者認証システムによれば、署名画像としてＱＲコードを用いることにより、著作画像に対して様々な情報を付加することができる。
【００６１】
さらに、任意の著作情報を認証局に保存することが可能となり、画像の著者の認証をより容易にすることができる。
【００６２】
また、ＱＲコードは誤り訂正符号を有しているので、著作画像に圧縮・平坦化などの変更が行われ、認証対象画像である検出署名ＱＲコードの一部が劣化したとしても、完全な著作情報を得ることができる。
【００６３】
さらに、認証パラメータの総容量が署名ＱＲコードの画像ファイルのサイズと比較して低容量であることから、本実施の形態にかかる著者認証システムにおいて、認証パラメータを認証局に登録するだけでなく、ＩＣチップなどの低容量の記録媒体に格納することにより、機密性に優れた認証システムを構築することが可能である。
【図面の簡単な説明】
【００６４】
【図１】本発明の一実施の形態にかかる著者認証システムの概略を示す説明図である。
【図２】署名ＱＲコードと認証パラメータの生成を示す説明図である。
【図３】署名ＱＲコードからのＢ×Ｂ画素のブロックの切り出しを示す図である。
【図４】著作画像からのＮ×Ｎ画素のブロックの切り出しを示す図である。
【図５】切り出したブロックを輝度値の高いものからＢ２＋１のグループに配属した状態を示す図である。
【図６】図５のＢ２＋１のグループ各々に配属する著作画像ブロックからＢ×Ｂ画素の二値の縮小ブロックを作成していることを示す図である。
【図７】本発明の一実施の形態にかかる著者認証システムにおける著者認証の概略を示す説明図である。
【図８】認証対象画像からのＮ×Ｎ画素の認証対象画像ブロックの切り出しを示す図である。
【図９】切り出した認証対象画像ブロックを平均輝度値の高いものから順にＢ２＋１のグループに並び替えた状態を示す図である。
【図１０】各グループに属する認証対象画像ブロックからＢ×Ｂ画素の二値の縮小ブロックを生成していることを示す図である。
【図１１】本発明の一実施の形態にかかる著者認証システムを実施した際に使用した著作画像（ａ）と認証対象画像（ｂ）〜（ｏ）を示す図である。
【図１２】本発明の一実施の形態にかかる著者認証システムを実施した際に使用した認証対象画像（ｐ）〜（ｙ）を示す図である。
【図１３】（ａ）は、図１１の著作画像（ａ）と認証パラメータとから生成した署名ＱＲコードを示し、（ｂ）〜（ｙ）は、図１１および図１２に示した認証対象画像（ｂ）〜（ｙ）の各々と認証パラメータとから生成した検出署名ＱＲコードを示す図である。
【図１４】図１１に示した著作画像（ａ）から生成した署名ＱＲコードの正画素率と図１１および図１２に示した認証対象画像（ｂ）〜（ｙ）から生成した検出署名ＱＲコードの正画素率とを示す図表である。
【図１５】図１３に示した署名ＱＲコードおよび検出署名ＱＲコードの正画素率を示したグラフである。
【符号の説明】
【００６５】
１…認証パラメータ算出部
２…検出ＱＲコード生成部
３…著作情報照合部
【図１】
2008124872.tif 000004
【図２】
2008124872.tif 000005
【図３】
2008124872.tif 000006
【図４】
2008124872.tif 000007
【図５】
2008124872.tif 000008
【図６】
2008124872.tif 000009
【図７】
2008124872.tif 000010
【図８】
2008124872.tif 000011
【図９】
2008124872.tif 000012
【図１０】
2008124872.tif 000013
【図１１】
2008124872.tif 000014
【図１２】
2008124872.tif 000015
【図１３】
2008124872.tif 000016
【図１４】
2008124872.tif 000017
【図１５】
2008124872.tif 000018